(57)【要約】【解決手段】ボールは、容器本体の上端縁部３から反転部４を介して折曲されて容器本体と並ぶ縁取り部５を備えている。この縁取り部５の裏側には中空部１０を設けてこの縁取り部５を容器本体の上端縁部３から膨出させている。この反転部４に対する反対側でこの縁取り部５の表面７と容器本体との間を塞ぐ溶接部１１を設けている。【効果】縁取り部５の裏側が溶接部１１により遮蔽されるため、縁取り部５の裏側に水分や埃が入り込みにくくなり、その汚れを防ぐことができる。【選択図】図２
2004201957.tif 000002
【特許請求の範囲】
【請求項１】
調理用具本体の端縁部から反転部を介して折曲されて調理用具本体と並ぶ縁取り部を備えた調理用具において、この反転部に対する反対側でこの縁取り部と調理用具本体との間を塞ぐ閉塞部を設けたことを特徴とする調理用具における縁取り構造。
【請求項２】
前記閉塞部は溶接部であることを特徴とする請求項１に記載の調理用具における縁取り構造。
【請求項３】
前記縁取り部の裏側に中空部を設けてこの縁取り部を前記調理用具本体の端縁部から膨出させたことを特徴とする請求項１または請求項２に記載の調理用具における縁取り構造。
【請求項４】
前記縁取り部の端縁部はその表面と裏面との間の端面で調理用具本体に対向し、前記閉塞部はこの縁取り部の端縁部の表面と調理用具本体との間に設けられていることを特徴とする請求項１または請求項２または請求項３に記載の調理用具における縁取り構造。
【請求項５】
前記縁取り部の端縁部が前記反転部から離間するように延設されてこの端縁部の裏面が調理用具本体に対向し、前記閉塞部はこの縁取り部の端縁部の表面と調理用具本体との間に設けられていることを特徴とする請求項１または請求項２または請求項３に記載の調理用具における縁取り構造。
【請求項６】
前記縁取り部の端縁部が前記反転部に接近するように延設されてこの端縁部の表面が調理用具本体に対向し、前記閉塞部はこの縁取り部の端縁部の表面と調理用具本体との間に設けられていることを特徴とする請求項１または請求項２または請求項３に記載の調理用具における縁取り構造。
【発明の詳細な説明】
【０００１】
【発明の属する技術分野】
本発明は、ボールなどの各種調理用具において、調理用具本体の端縁部から反転部を介して折曲されて調理用具本体に重合する縁取り部に係る縁取り構造に関するものである。
【０００２】
【従来の技術】
図９（ａ）（ｂ）に示す従来のボール１は、図９（ｃ）に示すように、容器本体２と、その容器本体２の上端縁部３の全周で容器本体２の内側から外側へ反転部４を介して折曲されてこの上端縁部３の表面３ａの外側で並ぶ環状の縁取り部５とを備えている。この縁取り部５の端縁部６は、その表面７と裏面８との間の端面９が前記反転部４側（上方）を向くように折曲され、容器本体２の上端縁部３の表面３ａに隙間Ｇをあけて対向している。
【０００３】
【発明が解決しようとする課題】
しかし、上記隙間Ｇが縁取り部５に生じると、縁取り部５の裏側に形成された中空部１０にこの隙間Ｇから水分や埃が入り込み易くなる。そのため、中空部１０に汚れが溜まり易くなり、その汚れの洗浄を行いにくくなる。
【０００４】
この発明は、上記のような縁取り部の裏側に水分や埃が入り込みにくくしてその汚れを防ぐことを目的としている。
【０００５】
【課題を解決するための手段及び発明の効果】
後記実施形態の図面（図１，２に示す第１実施形態、図３に示す第２実施形態、図４に示す第３実施形態、図５に示す第４実施形態、図６に示す第５実施形態、図７に示す第６実施形態、図８に示す第７実施形態）の符号を援用して本発明を説明する。
【０００６】
＊  請求項１の発明（第１〜７実施形態に対応）
この発明にかかる調理用具の縁取り構造は、下記のように構成されている。
この調理用具（例えばボール１等の容器）は、調理用具本体（容器本体２）の端縁部（３）から反転部（４）を介して折曲されて調理用具本体（２）と並ぶ縁取り部（５）を備えている。この反転部（４）に対する反対側でこの縁取り部（５）と調理用具本体（２）との間を塞ぐ閉塞部（例えば溶接部１１）を設けている。この発明では、縁取り部（５）の裏側が閉塞部（１１）により遮蔽されるため、縁取り部（５）の裏側に水分や埃が入り込みにくくなり、その汚れを防ぐことができる。従って、洗浄を必要とせず、洗浄をする場合にも簡単に行うことができる。
【０００７】
＊  請求項２の発明（第１〜７実施形態に対応）
この発明において、請求項１の発明にかかる閉塞部は溶接部（１１）である。この発明では、縁取り部（５）の裏側を簡単かつ確実に遮蔽することができる。
【０００８】
＊  請求項３の発明（第１〜５，７実施形態に対応）
この発明において、請求項１または請求項２の発明にかかる縁取り部（５）の裏側には中空部（１０）を設けてこの縁取り部（５）を前記調理用具本体（２）の端縁部（３）から膨出させている。この発明では、縁取り部（５）に指を掛けることができるため、調理用具（１）を掴み易くなる。
【０００９】
＊  請求項４の発明（第１〜３実施形態に対応）
この発明は、請求項１または請求項２または請求項３の発明を前提として下記のように構成されている。
【００１０】
前記縁取り部（５）の端縁部（６）はその表面（７）と裏面（８）との間の端面（９）で調理用具本体（２）に対向している。前記閉塞部（１１）はこの縁取り部（５）の端縁部（６）の表面（７）と調理用具本体（２）との間に設けられている。この発明では、縁取り部（５）を簡単な形状にしてその折曲加工を行い易くすることができる。
【００１１】
＊  請求項５の発明（第４，６，７実施形態に対応）
この発明は、請求項１または請求項２または請求項３の発明を前提として下記のように構成されている。
【００１２】
前記縁取り部（５）の端縁部（６）が前記反転部（４）から離間するように延設されてこの端縁部（６）の裏面（８）が調理用具本体（２）に対向している。前記閉塞部（１１）はこの縁取り部（５）の端縁部（６）の表面（７）と調理用具本体（２）との間に設けられている。この発明では、縁取り部（５）を簡単な形状にしてその折曲加工を行い易くすることができる。
【００１３】
＊  請求項６の発明（第５実施形態に対応）
この発明は、請求項１または請求項２または請求項３の発明を前提として下記のように構成されている。
【００１４】
前記縁取り部（５）の端縁部（６）が前記反転部（４）に接近するように延設されてこの端縁部（６）の表面（７）が調理用具本体（２）に対向している。前記閉塞部（１１）はこの縁取り部（５）の端縁部（６）の表面（７）と調理用具本体（２）との間に設けられている。この発明では、縁取り部（５）を簡単な形状にしてその折曲加工を行い易くすることができる。
【００１５】
＊  第７の発明（第１〜７実施形態に対応）
この発明において、請求項２の発明にかかる溶接部（１１）の表面（１１ａ）は研磨されて前記縁取り部（５）の表面（７）と調理用具本体（２）とに連続している。この発明では、縁取り部（５）の表面（７）と調理用具本体（２）とを滑らかに連続させて縁取り部（５）の外観を良くすることができる。
【００１６】
＊  第８〜１１の発明
第８の発明（第１〜３実施形態に対応）において、請求項４の発明にかかる縁取り部（５）の端縁部（６）の端面（９）は調理用具本体（２）に接触している。この発明では、縁取り部（５）の裏側に水分や埃がより一層入り込みにくくなる。
【００１７】
例えば、第９の発明（第１実施形態に対応）は、第８の発明を前提として下記のように構成されている。
前記縁取り部（５）の端縁部（６）の端面（９）のうちこの端面（９）と端縁部（６）の裏面（８）との間の境界部（９ａ）とこの端面（９）と端縁部（６）の表面（７）との間の境界部（９ｂ）との間が調理用具本体（２）に接触している。前記閉塞部（１１）はこの端面（９）と端縁部（６）の表面（７）との間の境界部（９ｂ）を塞ぐように縁取り部（５）の表面（７）と調理用具本体（２）との間で設けられている。
【００１８】
例えば、第１０の発明（第２実施形態に対応）は、第８の発明を前提として下記のように構成されている。
前記縁取り部（５）の端縁部（６）の端面（９）のうちこの端面（９）と端縁部（６）の裏面（８）との間の境界部（９ａ）が調理用具本体（２）に接触している。この端縁部（６）の端面（９）と調理用具本体（２）との間に空隙（１２）が設けられている。前記閉塞部（１１）はこの空隙（１２）を塞ぐように縁取り部（５）の表面（７）と調理用具本体（２）との間で設けられている。
【００１９】
例えば、第１１の発明（第３実施形態に対応）は、第８の発明を前提として下記のように構成されている。
前記縁取り部（５）の端縁部（６）の端面（９）のうちこの端面（９）と端縁部（６）の表面（７）との間の境界部（９ｂ）が調理用具本体（２）に接触している。この端縁部（６）の表面（７）と調理用具本体（２）との間に空隙（１２）が設けられている。前記閉塞部（１１）はこの空隙（１２）を塞ぐように縁取り部（５）の表面（７）と調理用具本体（２）との間で設けられている。
【００２０】
＊  第１２の発明（第４，６，７実施形態に対応）
この発明は、請求項１または請求項２または請求項３の発明を前提として下記のように構成されている。
【００２１】
前記縁取り部（５）の端縁部（６）が前記反転部（４）から離間するように延設されてこの端縁部（６）の裏面（８）が調理用具本体（２）に接触している。前記閉塞部（１１）はこの端縁部（６）の裏面（８）と調理用具本体（２）との間の接触部（１３）を塞ぐように縁取り部（５）の表面（７）と調理用具本体（２）との間で設けられている。この発明では、縁取り部（５）の裏側に水分や埃がより一層入り込みにくくなる。
【００２２】
＊  第１３の発明（第５実施形態に対応）
この発明は、請求項１または請求項２または請求項３の発明を前提として下記のように構成されている。
【００２３】
前記縁取り部（５）の端縁部（６）が前記反転部（４）に接近するように延設されてこの端縁部（６）の表面（７）が調理用具本体（２）に接触している。前記閉塞部（１１）はこの端縁部（６）の表面（７）と調理用具本体（２）との間の接触部（１３）を塞ぐように縁取り部（５）の表面（７）と調理用具本体（２）との間で設けられている。この発明では、縁取り部（５）の裏側に水分や埃がより一層入り込みにくくなる。
【００２４】
＊  第１４の発明（第１〜７実施形態に対応）
この発明は、請求項１から請求項６のうちいずれかの請求項の発明、または、第７の発明から第１３の発明のうちいずれかの発明を前提として下記のように構成されている。
【００２５】
前記調理用具本体は容器本体（２）である。前記縁取り部（５）は、この容器本体（２）の環状端縁部（３）の全周で環状に設けられている。前記閉塞部（１１）は、この環状縁取り部（５）の表面（７）と調理用具本体（２）との間で環状に設けられている。
【００２６】
【発明の実施の形態】
〔第１実施形態〕
まず、本発明の第１実施形態にかかる調理用具の縁取り構造について図１，２を参照して説明する。
【００２７】
図１（ａ）（ｂ）に示す容器（調理用具）としてのボール１は、ステンレス鋼やアルミニウムやチタンや銅やマグネシウムなどの材質からなり、下記＊に示すように、図２（ａ）に示すプレス加工と、図２（ｂ）に示す溶接処理と、図２（ｃ）に示す研磨処理とを順次経て製造される。
【００２８】
＊  図２（ａ）に示すプレス加工
上記溶接処理や研磨処理を行う前のボール１は、容器本体２（調理用具本体）と、その容器本体２の上端縁部３の全周で容器本体２の内側から外側へ反転部４を介して折曲されてこの上端縁部３の表面３ａの外側で並ぶ環状の縁取り部５とを備えている。この縁取り部５の端縁部６はその表面７と裏面８との間の端面９で容器本体２の上端縁部３の表面３ａに対向している。この端縁部６の端面９のうち、この端面９とこの端縁部６の裏面８との間の境界部９ａと、この端面９とこの端縁部６の表面７との間の境界部９ｂとの間の全部が、前記反転部４に対する反対側で、容器本体２の上端縁部３の全周にわたりその表面３ａに接触している。この容器本体２の上端縁部３の表面３ａとこの縁取り部５の裏面８との間には中空部１０が形成されてこの縁取り部５が容器本体２の上端縁部３の全周にわたりその表面３ａから膨らんでいる。プレス加工にあたっては、深絞り加工を行った後に前記縁取り部５を成形するか、または、絞り加工と絞りスピニングとを行った後に前記縁取り部５を成形する。図示しないが、前記縁取り部５の端縁部６の端面９と前記容器本体２の上端縁部３の表面３ａとを互いに接触させずにそれらの間で僅かに隙間を持たせてもよい。
【００２９】
＊  図２（ｂ）に示す溶接処理
前記容器本体２の上端縁部３の全周にわたりその表面３ａと前記縁取り部５の端縁部６の表面７との間に溶接部１１（閉塞部）が施され、その溶接部１１によりこの端縁部６の端面９の境界部９ｂが閉塞されている。この場合、炭素アーク溶接やＭＩＧ及びＴＩＧ等のイナートガスアーク溶接やレーザー溶接やろう付けなどの各種溶接法を採用する。この端面９の境界部９ｂと容器本体２の上端縁部３の表面３ａとの間に隙間がある場合には、その隙間にも溶接部１１が入り込む。
【００３０】
＊  図２（ｃ）に示す研磨処理
前記溶接部１１の表面１１ａが研磨され、前記容器本体２の上端縁部３の全周にわたりその表面３ａとこの溶接部１１の表面１１ａと前記縁取り部５の表面７とが滑らかに連続している。
【００３１】
〔第２実施形態〕
次に、本発明の第２実施形態にかかる調理用具の縁取り構造について第１実施形態との相違点を中心に図３を参照して説明する。
【００３２】
図３（ａ）に示すように、前記縁取り部５の端縁部６の端面９が前記反転部４に対する反対側（下方）を向き、その端面９のうち前記境界部９ａのみが、前記容器本体２の上端縁部３の全周にわたりその表面３ａに接触している。この端縁部６の端面９とこの上端縁部３の表面３ａとの間には空隙１２が形成されている。図示しないが、前記境界部９ａと前記容器本体２の上端縁部３の表面３ａとを互いに接触させずにそれらの間で僅かに隙間を持たせてもよい。
【００３３】
図３（ｂ）に示すように、前記容器本体２の上端縁部３の全周にわたりその表面３ａと前記縁取り部５の端縁部６の表面７との間に溶接部１１（閉塞部）が施され、その溶接部１１により前記空隙１２が閉塞されている。この端面９の境界部９ａと容器本体２の上端縁部３の表面３ａとの間に隙間がある場合には、前記空隙１２ばかりではなくその隙間にも溶接部１１が入り込む。
【００３４】
図３（ｃ）に示すように、前記溶接部１１の表面１１ａが研磨され、前記容器本体２の上端縁部３の全周にわたりその表面３ａとこの溶接部１１の表面１１ａと前記縁取り部５の表面７とが滑らかに連続している。
【００３５】
〔第３実施形態〕
次に、本発明の第３実施形態にかかる調理用具の縁取り構造について第１実施形態との相違点を中心に図４を参照して説明する。
【００３６】
図４（ａ）に示すように、前記縁取り部５の端縁部６の端面９が前記反転部４側（上方）を向き、その端面９のうち前記境界部９ｂのみが、前記容器本体２の上端縁部３の全周にわたりその表面３ａに接触している。この端縁部６の端面９とこの上端縁部３の表面３ａとの間には空隙１２が形成されている。図示しないが、前記境界部９ｂと前記容器本体２の上端縁部３の表面３ａとを互いに接触させずにそれらの間で僅かに隙間を持たせてもよい。
【００３７】
図４（ｂ）に示すように、前記容器本体２の上端縁部３の全周にわたりその表面３ａと前記縁取り部５の端縁部６の表面７との間に溶接部１１（閉塞部）が施され、その溶接部１１により、この端縁部６の端面９の境界部９ｂと容器本体２の上端縁部３の表面３ａとの間の接触部分が閉塞されている。この端面９の境界部９ｂと容器本体２の上端縁部３の表面３ａとの間に隙間がある場合には、その隙間にも溶接部１１が入り込む。
【００３８】
図４（ｃ）に示すように、前記溶接部１１の表面１１ａが研磨され、前記容器本体２の上端縁部３の全周にわたりその表面３ａとこの溶接部１１の表面１１ａと前記縁取り部５の表面７とが滑らかに連続している。
【００３９】
〔第４実施形態〕
次に、本発明の第４実施形態にかかる調理用具の縁取り構造について第１実施形態との相違点を中心に図５を参照して説明する。
【００４０】
図５（ａ）に示すように、前記縁取り部５の端縁部６が前記反転部４から離間するように前記容器本体２の上端縁部３の表面３ａに沿って若干下方へ延設され、この端縁部６の裏面８が前記容器本体２の上端縁部３の全周にわたりその表面３ａに対しそれらの接触部１３で接触している。図示しないが、前記端縁部６の裏面８と前記容器本体２の上端縁部３の表面３ａとを互いに接触させずにそれらの間で僅かに隙間を持たせてもよい。
【００４１】
図５（ｂ）に示すように、前記容器本体２の上端縁部３の全周にわたりその表面３ａと前記縁取り部５の端縁部６の表面７との間に溶接部１１（閉塞部）が施され、その溶接部１１により前記接触部１３が閉塞されている。この端縁部６の裏面８と容器本体２の上端縁部３の表面３ａとの間に隙間がある場合には、その隙間にも溶接部１１が入り込む。
【００４２】
図５（ｃ）に示すように、前記溶接部１１の表面１１ａが研磨され、前記容器本体２の上端縁部３の全周にわたりその表面３ａとこの溶接部１１の表面１１ａと前記縁取り部５の表面７とが滑らかに連続している。
【００４３】
〔第５実施形態〕
次に、本発明の第５実施形態にかかる調理用具の縁取り構造について第１実施形態との相違点を中心に図６を参照して説明する。
【００４４】
図６（ａ）に示すように、前記縁取り部５の端縁部６が前記反転部４に接近するように前記容器本体２の上端縁部３の表面３ａに沿って上方へ若干延設され、この端縁部６の表面７が前記容器本体２の上端縁部３の全周にわたりその表面３ａに対しそれらの接触部１３で接触している。図示しないが、前記端縁部６の表面７と前記容器本体２の上端縁部３の表面３ａとを互いに接触させずにそれらの間で僅かに隙間を持たせてもよい。また、図示しないが、縁取り部５の端縁部６を渦巻き状に巻き込んでもよい。
【００４５】
図６（ｂ）に示すように、前記容器本体２の上端縁部３の全周にわたりその表面３ａと前記縁取り部５の表面７との間に溶接部１１（閉塞部）が施され、その溶接部１１により前記接触部１３が閉塞されている。この端縁部６の表面７と容器本体２の上端縁部３の表面３ａとの間に隙間がある場合には、その隙間にも溶接部１１が入り込む。
【００４６】
図６（ｃ）に示すように、前記溶接部１１の表面１１ａが研磨され、前記容器本体２の上端縁部３の全周にわたりその表面３ａとこの溶接部１１の表面１１ａと前記縁取り部５の表面７とが滑らかに連続している。
【００４７】
〔第６実施形態〕
次に、本発明の第６実施形態にかかる調理用具の縁取り構造について第１実施形態との相違点を中心に図７を参照して説明する。
【００４８】
図７（ａ）に示すように、前記縁取り部５の端縁部６が前記反転部４から離間するように前記容器本体２の上端縁部３の表面３ａに沿って下方へ延設されているとともに、この縁取り部５の裏面８が上端縁部３の全周にわたりその表面３ａに接触し、この裏面８と表面３ａとの間の中空部１０が省略されている。
【００４９】
図７（ｂ）に示すように、前記容器本体２の上端縁部３の全周にわたりその表面３ａと前記縁取り部５の端縁部６の表面７との間に溶接部１１（閉塞部）が施され、その溶接部１１により縁取り部５の端縁部６の端面９が閉塞されている。
【００５０】
図７（ｃ）に示すように、前記溶接部１１の表面１１ａが研磨され、前記容器本体２の上端縁部３の全周にわたりその表面３ａとこの溶接部１１の表面１１ａと前記縁取り部５の表面７とが滑らかに連続している。
【００５１】
〔第７実施形態〕
次に、本発明の第７実施形態にかかる調理用具の縁取り構造について第４実施形態との相違点を中心に図８を参照して説明する。
【００５２】
前記縁取り部５を前記反転部４から離間するように前記容器本体２の上端縁部３の表面３ａに沿って延設する上下方向寸法が、第４実施形態と比較して長くなっている点で異なる。前記第１実施形態や第２実施形態や第３実施形態や第５実施形態や第６実施形態において、前記縁取り部５の上下方向寸法を同様に長くしてもよい。
【００５３】
〔そのほかの別例〕
＊  前記各実施形態において、縁取り部５の膨出形状及び膨出幅や、縁取り部５の上下方向寸法を適宜変更する。
【００５４】
＊  前記各実施形態の溶接部１１に代え、樹脂を塗布後に硬化させた閉塞部に変更したり、シールテープを閉塞部として貼着する。
＊  前記各実施形態のボール１以外に鍋やざるやトレーやバットや製菓型などの容器としての各種調理用具のほか、容器以外の各種調理用具において、縁取り構造を必要とするものに本発明を応用することができる。なお、この調理用具は、台所用具において縁取り構造を必要とするものも含む概念で用いる。
【図面の簡単な説明】
【図１】（ａ）は第１実施形態にかかるボールを示す正面図であり、（ｂ）は同じく平面図である。
【図２】（ａ）はプレス加工後溶接前の縁取り部の状態を示す部分拡大断面図であり、（ｂ）は溶接後研磨前の縁取り部の状態を示す部分拡大断面図であり、（ｃ）は研磨後の縁取り部の状態を示す図１（ｂ）のＸ−Ｘ線部分拡大断面図である。
【図３】（ａ）（ｂ）（ｃ）は第２実施形態を示す図２相当図である。
【図４】（ａ）（ｂ）（ｃ）は第３実施形態を示す図２相当図である。
【図５】（ａ）（ｂ）（ｃ）は第４実施形態を示す図２相当図である。
【図６】（ａ）（ｂ）（ｃ）は第５実施形態を示す図２相当図である。
【図７】（ａ）（ｂ）（ｃ）は第６実施形態を示す図２相当図である。
【図８】（ａ）（ｂ）（ｃ）は第７実施形態を示す図２相当図である。
【図９】（ａ）は従来のボールを示す正面図であり、（ｂ）は同じく平面図であり、（ｃ）は（ｂ）のＹ−Ｙ線部分拡大断面図である。
【符号の説明】
１…ボール（容器、調理用具）、２…容器本体（調理用具本体）、３…上端縁部、４…反転部、５…縁取り部、６…端縁部、７…表面、８…裏面、９…端面、１０…中空部、１１…溶接部（閉塞部）。
【図１】
2004201957.tif 000003
【図２】
2004201957.tif 000004
【図３】
2004201957.tif 000005
【図４】
2004201957.tif 000006
【図５】
2004201957.tif 000007
【図６】
2004201957.tif 000008
【図７】
2004201957.tif 000009
【図８】
2004201957.tif 000010
【図９】
2004201957.tif 000011